(57)【要約】【課題】既存の菜ばしの先端部に簡単に取り付けられ、菜ばし本体の耐久性が向上される上、耐熱性に優れた素材で既存の菜ばしの先端部に取り付けられることにより、天ぷらや野菜炒めなど油や熱湯、火等を使って食材が高温になる料理に適し、交換使用もできる菜ばしカバーを提供する。【解決手段】菜ばし１の先端部２に被覆して当該先端部２を保護するカバー体３は、耐熱性あるシリコン樹脂製で成り、前記菜ばし１の先端部２を被覆する大きさ・形状で細長い中空部６を有する先細の鞘状に形成し、菜ばし１の先端部２に対し着脱自在に構成した。また、前記カバー体３の先端４を閉塞し、基端５を開口にした。さらに前記カバー体３の外周７に、辷り止めを補強する突条部８を設けた。加えて、前記カバー体３に、彩色を施したことも特徴としている。【選択図】       図１
0003131606.tif 000002
【実用新案登録請求の範囲】
【請求項１】
菜ばしの先端部に被覆されて当該先端部を保護するカバー体が、前記菜ばしの先端部を被覆する大きさ・形状で細長い中空部を有する先細の鞘状に形成され、菜ばしの先端部に対し着脱自在に構成されていることを特徴とする菜ばしカバー。
【請求項２】
前記カバー体が、耐熱性あるシリコン樹脂製で成ることを特徴とする、請求項１に記載した菜ばしカバー。
【請求項３】
前記カバー体の先端が閉塞され、基端が開口されていることを特徴とする、請求項１又は請求項２に記載した菜ばしカバー。
【請求項４】
前記カバー体の外周に、辷り止めを補強する突条部が設けられていることを特徴とする、請求項１又は請求項２又は請求項３に記載した菜ばしカバー。
【請求項５】
前記カバー体に、彩色が施されていることを特徴とする、請求項１又は請求項２又は請求項３又は請求項４に記載した菜ばしカバー。
【考案の詳細な説明】
【技術分野】
【０００１】
本考案は、調理の際に使用される菜ばしのカバーに属し、さらに言えば、菜ばしの先端部に被覆して、食材を摘んだり、かき混ぜたりする他、特には天ぷらや野菜炒めなど油や熱湯、火を使って食材が高温になる料理の際に使用される菜ばしカバーの技術分野に関する。
【背景技術】
【０００２】
従来、料理の際に使用される菜ばしは、竹製や木製で製造され使用されているのが一般である。また、耐熱性を考慮して先端は上塗りされていないものが多い。
【０００３】
そして、菜ばしを天ぷら料理等の高温の下で繰り返し使用し続けたりして、使用に耐え難くなると、菜ばし自体を新しいものに買い換えなければならず、耐久性はない。
【０００４】
また、各種料理に応じた扱い易い菜ばしとして、特開２０００−１３５１７２号特許公開公報には、２本の棒部材から成り、一方の棒部材は一端がスプーン形状の先端にフォーク形状を有すると共に他端がお箸のような先細り形状を有し、他方の棒部材は一端がフォーク形状を有すると共に他端がお箸のような先細り形状を有する万能菜箸が開示されている。
【特許文献１】特開２０００−１３５１７２号公開公報
【考案の開示】
【考案が解決しようとする課題】
【０００５】
前記公開公報に記載された万能菜箸は、滑りやすい煮物等であっても容易且つ確実に挟むことができ、しかも煮物をすくったり、突き刺したり、くっつき合った煮物どうしを容易に分離したり、計量したりすることができる利点を有している。
【０００６】
しかし、棒部材の一端に形成されたスプーン形状やフォーク形状の先端は特に耐熱性に優れたものではなく、またその先端が被覆されて交換できるような構造となっていない。
【０００７】
したがって、本考案が解決しようとする課題は、既存の菜ばしの先端部に簡単に取り付けられ、菜ばし本体の耐久性が向上される上、耐熱性に優れた素材で前記のように既存の菜ばしの先端部に取り付けられることにより、天ぷらや野菜炒めなど油や熱湯、火等を使って食材が高温になる料理に適し、交換使用もできて使い勝手のよい菜ばしカバーを提供することにある。
【課題を解決するための手段】
【０００８】
上記課題を解決するための手段として、請求項１記載の菜ばしカバーは、菜ばし１の先端部２に被覆して当該先端部２を保護するカバー体３を、前記菜ばし１の先端部２を被覆する大きさ・形状で細長い中空部６を有する先細の鞘状に形成し、菜ばし１の先端部２に対し着脱自在に構成したことを特徴とする。
【０００９】
請求項２記載の考案に係る菜ばしカバーは、前記カバー体３を、耐熱性あるシリコン樹脂製で成ることを特徴とする。
【００１０】
請求項３記載の考案に係る菜ばしカバーは、前記カバー体３の先端４を閉塞し、基端５を開口にしたことを特徴とする。
【００１１】
請求項４記載の考案に係る菜ばしカバーは、前記カバー体３の外周７に、辷り止めを補強する突条部８を設けたことを特徴とする。
【００１２】
請求項５記載の考案に係る菜ばしカバーは、前記カバー体３に、彩色を施したことを特徴とする。
【考案の効果】
【００１３】
請求項１記載の本考案に関する菜ばしカバーは、菜ばしの先端部に被覆されて当該先端部を保護するカバー体が、前記菜ばしの先端部を被覆する大きさ・形状で細長い中空部を有する先細の鞘状に形成され、菜ばしの先端部に対し着脱自在に構成されているので、各家庭や料理店で使用している既存の竹製や木製の菜ばしの先端部に簡単に取り付けられ、菜ばし本体を長く使用できる耐久性に優れている。
【００１４】
また、カバー体は、菜ばしの先端部を保護するに必要かつ十分な大きさ・形状に形成されているので、製造コストもかからず、大量生産でき、好みや紛失等の必要に応じて簡単に交換使用もでき便利である。
【００１５】
請求項２記載の本考案に関する菜ばしカバーは、カバー体が耐熱性あるシリコン樹脂製で成り、前記請求項１記載の考案と同様の効果を奏するほか、耐熱性に優れるているので、天ぷらや野菜炒めなど油や熱湯、火等を使って食材が高温になる料理に最適である。
【００１６】
使用後は、菜ばしから当該菜ばしカバー（カバー体）を取り外して洗浄し、繰り返使用できる利便性がある。
【００１７】
請求項３記載の本考案に関する菜ばしカバーは、カバー体の先端が閉塞され、基端が開口されているので、前記と同様の効果を奏するほか、菜ばしの先端に、前記開口基端から被覆してやれば簡単に取り付けることができる。
【００１８】
調理中はカバー体の先端が閉塞しているので、菜ばしの先端が高温にならない。また調理後は前記閉塞先端を引張ることで菜ばしから簡単に取り外すことができ、同種のカバー体への交換使用も楽に行える。
【００１９】
請求項４記載の本考案に関する菜ばしカバーは、カバー体の外周に辷り止めを補強する突条部が設けられているので、前記と同様の効果を奏するほか、食材を挟んで摘む際に辷らず使い易い。
【００２０】
請求項５記載の本考案に関する菜ばしカバーは、カバー体に彩色が施されているので、前記と同様の効果を奏するほか、カラフルで、キッチンを明るくでき、料理を楽しく行える。また、好みや料理内容、使用頻度等に応じて、当該様々な色の菜ばしカバーを使用でき便利である。
【考案を実施するための最良の形態】
【００２１】
請求項１〜５に係る菜ばしカバーは、調理の際に使用される菜ばしの先端に被覆して取り付け使用されるもので、特には、天ぷらや野菜炒めなど油や熱湯、火を使って食材が高温になる料理の際に好適に使用される。以下、天ぷら料理に使用される菜ばしカバー（図１）の実施形態につき、図面に従いながら説明する。
【００２２】
本実施形態の菜ばしカバーの内部を示した全体構造を図２に示した。
【００２３】
この菜ばしカバーは、既存の先細状の菜ばし１の先端部２に被覆して当該先端部２を保護するカバー体３より構成される。
【００２４】
カバー体３は、一般的な菜ばし１の先端部２を被覆する大きさ・形状として、全長が約１２０ｍｍ、外径が８ｍｍ、厚さが１ｍｍで、細長い中空部６を有する先細の鞘状に形成されている。
【００２５】
すなわち、図２に示したように、当該カバー体３の先端４が閉塞され、基端５が開口され、内部全体が中空な中空部６となっている。よって、カバー体３の中空部６を、菜ばし１の先端部２に対し、挿し込んだり又は引き抜いたりすることにより、菜ばし１に対し着脱自在に構成されている。
【００２６】
したがって、菜ばし１に、前記カバー体１を取り付けるには、菜ばし１の先端部２に対し、前記開口基端５から中空部６内に被覆するように挿し込んでやる。すると、閉塞先端４の位置で止まるので、菜ばし１の先端部２を簡単且つ完全に被覆することができる。
【００２７】
調理中は、カバー体３の先端４が閉塞しているので、菜ばし１の先端部２が高温にならない。
【００２８】
また、調理後などに前記カバー体１を取り外すときは、前記閉塞先端４を引張ってやればよい。
【００２９】
前記したカバー体３の全体は、約２３０度に耐えられる耐熱性あるシリコン樹脂製で形成されている。当該シリコンは、水や油を吸わないので、図１に示したような油料理に最適である。なお、このシリコン樹脂は、−３０度の耐冷性も兼ね備えている。
【００３０】
前記の通り、カバー体３はシリコン樹脂製で弾力性があるので、天ぷら９等の食材を崩さずに摘むことができる。もちろん、シリコンは軽量なので、菜ばし１を使っての料理に一切支障ははい。
【００３１】
また、当該菜ばしカバーは、前記カバー体３の外周７に、若干突出して辷り止めを補強する突条部８を設けた形態で好適に実施される。すなわち、リング状の突条部８が、カバー体３の先端４から、約５ｍｍ間隔で１０箇所、当該カバー体３の外周７に形成されている。
【００３２】
このリング状の突条部８は、カバー体３の成形と同時に成形され、やはりシリコン樹脂製なので、天ぷら９等の食材を辷り落すことなく確実に摘むことができる。
【００３３】
さらに、カバー体３は、様々な彩色を施して実施される。例えば、イエロー、ライトグリーン、ピンク、ライトブルー等の色により、当該カバー体３の製造過程で全体に亘り彩色処理するのが好ましい。
【００３４】
これらのうち、同一色を２本一対として使用すればカラフルで、楽しく料理を行える。また、料理内容、使用頻度、気分に応じて、前記のような様々な色の菜ばしカバーに交換使用することができる。
【図面の簡単な説明】
【００３５】
【図１】菜ばしカバーの天ぷら料理での使用状態を示した斜視図である。
【００３６】
【図２】菜ばしカバーの拡大縦断面図である。
【符号の説明】
【００３７】
１      菜ばし
２      先端部
３      カバー体
４      先端
５      基端
６      中空部
７      外周
８      突条部
９      天ぷら
【図１】
0003131606.tif 000003
【図２】
0003131606.tif 000004